(57)【要約】【課題】画像形成装置の生産性を低下させることなく、捕集ユニットの安全性を向上させる。【解決手段】微粒子除去装置は、電子写真方式の画像形成装置１０の定着装置の近傍から画像形成装置１０の外部に排出される空気中の微粒子を捕集する捕集ユニット４０と、捕集ユニット４０を冷却する冷却手段と、を備える。具体的には、画像形成装置１０の外部に排気するための排気用ルーバー部５０が、捕集ユニット４０と所定の隙間Ｄを有して配置され、排気用ルーバー部５０から排気される排気風により捕集ユニット４０を捕集ユニット４０の外部から冷却する。【選択図】図２
2020112641.tif 000002
【特許請求の範囲】
【請求項１】
電子写真方式の画像形成装置の定着装置の近傍から前記画像形成装置の外部に排出される空気中の微粒子を捕集する捕集ユニットと、
当該捕集ユニットを冷却する冷却手段と、
を備える微粒子除去装置。
【請求項２】
前記冷却手段は、前記捕集ユニットを当該捕集ユニットの外部から冷却する請求項１に記載の微粒子除去装置。
【請求項３】
請求項２に記載の微粒子除去装置と、
用紙上にトナー像を形成する画像形成部と、
用紙上に形成されたトナー像を定着させる定着装置と、
を備える画像形成装置であって、
前記画像形成装置の外部に排気するための排気用ルーバー部が、前記捕集ユニットと所定の隙間を有して配置され、
前記冷却手段は、前記排気用ルーバー部から排気される排気風により前記捕集ユニットを冷却する画像形成装置。
【請求項４】
前記冷却手段は、前記捕集ユニットの内部温度より温度が低い排気風を用いる請求項３に記載の画像形成装置。
【請求項５】
前記冷却手段は、電源冷却用排気風、基板冷却用排気風、オゾン吸引用排気風、トナー吸引用排気風のうち一つ以上を用いる請求項３又は４に記載の画像形成装置。
【請求項６】
電源冷却用排気風、基板冷却用排気風、オゾン吸引用排気風、トナー吸引用排気風のそれぞれの温度を検出する温度検出手段と、
前記温度検出手段により温度が検出された電源冷却用排気風、基板冷却用排気風、オゾン吸引用排気風、トナー吸引用排気風のうち、最も温度が低い排気風に対応する排気用ルーバー部を前記冷却手段として選択する制御手段と、
を備える請求項３又は４に記載の画像形成装置。
【請求項７】
前記冷却手段は、前記捕集ユニットから放熱することで、前記捕集ユニットを冷却する請求項１に記載の微粒子除去装置。
【請求項８】
前記捕集ユニットの表面は、放熱用の板金で構成されている請求項７に記載の微粒子除去装置。
【請求項９】
前記板金の外側に、当該板金より熱伝導率が低く、複数の貫通孔を有するカバー部材が設けられている請求項８に記載の微粒子除去装置。
【発明の詳細な説明】
【技術分野】
【０００１】
本発明は、微粒子除去装置及び画像形成装置に関する。
【背景技術】
【０００２】
電子写真方式の画像形成装置では、用紙上に転写されたトナー像を定着装置により加熱・加圧して定着させることで、画像を形成している。定着装置では、加熱された弾性部材からＵＦＰ（超微粒子：Ultrafine Particle）が発生する。
【０００３】
画像形成装置から排出されるＵＦＰ等の微粒子の量を削減するために、定着装置の近傍のエアーを排気経路を通して機外へ排出させるファンと、排気経路の中に配置され微粒子を捕集するフィルターと、を備える画像形成装置において、主電源が投入されてから最初の画像形成時には、ファンの駆動速度を設定範囲の上限速度とすることで、確実にフィルターで微粒子を捕集する技術が提案されている（特許文献１参照）。
【先行技術文献】
【特許文献】
【０００４】
【特許文献１】特開２０１４−４４２３８号公報
【発明の概要】
【発明が解決しようとする課題】
【０００５】
しかしながら、定着装置で発生した微粒子を捕集する捕集ユニットにおいて、ダクトの下流部に目が細かいフィルターを設けると、排気風量が低下し、フィルターの上流部に空気が滞留する。これにより、定着装置の近傍から運ばれてきた熱もフィルターの上流部に滞留し、画像形成装置内の温度が上昇してしまう。画像形成装置内の温度を下げるためには、画像形成装置の停止が必要となり、画像形成装置の生産性が低下する。
【０００６】
また、フィルターの上流部に空気が滞留することで、ダクトの温度が上昇し、安全性が低下する。定着装置から排出される空気の温度は捕集ユニットの上流で２００℃前後、捕集ユニットのダクト内で約８０〜９０℃である。その熱が捕集ユニットに伝わり、捕集ユニットが高温になるおそれがあった。
【０００７】
本発明は、上記の従来技術における問題に鑑みてなされたものであって、画像形成装置の生産性を低下させることなく、捕集ユニットの安全性を向上させることを課題とする。
【課題を解決するための手段】
【０００８】
上記課題を解決するために、請求項１に記載の発明は、電子写真方式の画像形成装置の定着装置の近傍から前記画像形成装置の外部に排出される空気中の微粒子を捕集する捕集ユニットと、当該捕集ユニットを冷却する冷却手段と、を備える微粒子除去装置である。
【０００９】
請求項２に記載の発明は、請求項１に記載の微粒子除去装置において、前記冷却手段は、前記捕集ユニットを当該捕集ユニットの外部から冷却する。
【００１０】
請求項３に記載の発明は、請求項２に記載の微粒子除去装置と、用紙上にトナー像を形成する画像形成部と、用紙上に形成されたトナー像を定着させる定着装置と、を備える画像形成装置であって、前記画像形成装置の外部に排気するための排気用ルーバー部が、前記捕集ユニットと所定の隙間を有して配置され、前記冷却手段は、前記排気用ルーバー部から排気される排気風により前記捕集ユニットを冷却する。
【００１１】
請求項４に記載の発明は、請求項３に記載の画像形成装置において、前記冷却手段は、前記捕集ユニットの内部温度より温度が低い排気風を用いる。
【００１２】
請求項５に記載の発明は、請求項３又は４に記載の画像形成装置において、前記冷却手段は、電源冷却用排気風、基板冷却用排気風、オゾン吸引用排気風、トナー吸引用排気風のうち一つ以上を用いる。
【００１３】
請求項６に記載の発明は、請求項３又は４に記載の画像形成装置において、電源冷却用排気風、基板冷却用排気風、オゾン吸引用排気風、トナー吸引用排気風のそれぞれの温度を検出する温度検出手段と、前記温度検出手段により温度が検出された電源冷却用排気風、基板冷却用排気風、オゾン吸引用排気風、トナー吸引用排気風のうち、最も温度が低い排気風に対応する排気用ルーバー部を前記冷却手段として選択する制御手段と、を備える。
【００１４】
請求項７に記載の発明は、請求項１に記載の微粒子除去装置において、前記冷却手段は、前記捕集ユニットから放熱することで、前記捕集ユニットを冷却する。
【００１５】
請求項８に記載の発明は、請求項７に記載の微粒子除去装置において、前記捕集ユニットの表面は、放熱用の板金で構成されている。
【００１６】
請求項９に記載の発明は、請求項８に記載の微粒子除去装置において、前記板金の外側に、当該板金より熱伝導率が低く、複数の貫通孔を有するカバー部材が設けられている。
【発明の効果】
【００１７】
本発明によれば、画像形成装置の生産性を低下させることなく、捕集ユニットの安全性を向上させることができる。
【図面の簡単な説明】
【００１８】
【図１】本発明の実施形態における画像形成装置の機能構成を示すブロック図である。
【図２】（ａ）は、画像形成装置の背面を示す斜視図である。（ｂ）は、図２（ａ）に示すＡ−Ａにおける断面図である。
【図３】（ａ）は、捕集ユニットが装着されていない状態の画像形成装置の本体部の背面を示す図である。（ｂ）は、捕集ユニットが装着された状態の画像形成装置の背面を示す図である。
【図４】ウォーミングアップ時、プリント中、プリント後の各排気ファンのオン／オフ状態を示す図である。
【図５】捕集ユニットの背面を示す拡大図である。
【図６】変形例１における画像形成装置の背面を示す図である。
【図７】変形例２における電源冷却用ルーバー部、基板冷却用ルーバー部、オゾン・トナー吸引用ルーバー部周辺を模式的に示した図である。
【発明を実施するための形態】
【００１９】
以下、図面を参照して、本発明の実施形態について説明する。ただし、発明の範囲は、図示例に限定されない。
【００２０】
図１は、本実施形態の画像形成装置１０の機能構成を示すブロック図である。画像形成装置１０は、用紙上に画像を形成する電子写真方式の画像形成装置である。
図１に示すように、画像形成装置１０は、制御部１１、記憶部１２、操作部１３、表示部１４、原稿読取部１５、搬送部１６、画像処理部１７、給紙部１８、通信部１９、画像形成部２０、定着装置３０及び捕集ユニット４０等を備える。
【００２１】
制御部１１は、ＣＰＵ（Central Processing Unit）、ＲＡＭ（Random Access Memory）、ＲＯＭ（Read Only Memory）等を備え、画像形成装置１０の各部を制御する。ＲＯＭには、各種プログラム及び各種データが記憶されている。ＣＰＵは、ＲＯＭから各種プログラムを読み出して適宜ＲＡＭに展開し、展開したプログラムとの協働により、各種処理を実行する。例えば、制御部１１は、原稿読取部１５により原稿から画像を読み取って得られた画像データ、又は、通信部１９を介して受信された画像データに、画像処理部１７により画像処理させて、画像処理後の画像データに基づき、画像形成部２０により用紙上に画像を形成させる。
【００２２】
記憶部１２は、ＨＤＤ（Hard Disk Drive）、ＤＲＡＭ（Dynamic Random Access Memory）等により構成され、各種データを記憶する記憶装置である。
【００２３】
操作部１３は、ユーザーの操作に応じた操作信号を生成し、制御部１１に出力する。操作部１３としては、キーパッド、表示部１４と一体に構成されたタッチパネル等を用いることができる。
表示部１４は、制御部１１の指示に従って、操作画面等を表示する。表示部１４としては、ＬＣＤ（Liquid Crystal Display）、ＯＥＬＤ（Organic Electro Luminescence Display）等を用いることができる。
【００２４】
原稿読取部１５は、コピー用に設けられたスキャナー等であり、制御部１１の指示に従って、原稿台上にセットされた原稿面を読み取って、画素ごとにＲ（赤）、Ｇ（緑）及びＢ（青）の色値を有するビットマップ形式の画像データを生成する。原稿読取部１５により生成されたＲ、Ｇ及びＢの色値を有する画像データは、図示しない色変換部によりＹ（イエロー）、Ｍ（マゼンタ）、Ｃ（シアン）及びＫ（ブラック）の色値を有する画像データに色変換された後、記憶部１２に記憶される。
【００２５】
搬送部１６は、搬送ローラー等で構成され、制御部１１の指示に従って、給紙部１８から給紙された用紙を、画像形成部２０、定着装置３０へ搬送し、画像形成及び定着された用紙を排紙トレイに排出する。
【００２６】
画像処理部１７は、原稿読取部１５により原稿から画像を読み取って得られた画像データ、通信部１９を介して外部装置から入力された画像データに必要な画像処理を行い、画像処理後の画像データを画像形成部２０に出力する。画像処理には、階調処理、中間調処理、色変換処理等が含まれる。
【００２７】
給紙部１８は、複数の給紙トレイを備え、制御部１１の指示に従って、画像形成部２０に用紙を供給する。各給紙トレイには、それぞれ予め定められた紙種やサイズの用紙が収納されている。
【００２８】
通信部１９は、ネットワークカード等で構成され、ＬＡＮ（Local Area Network）等のネットワークに接続される。通信部１９は、ネットワーク上の外部装置、例えばＰＣ（Personal Computer）等のユーザー端末、サーバー等と通信する。通信部１９は、ネットワークを介して、画像を形成するための画像データを外部装置から受信する。
【００２９】
画像形成部２０は、制御部１１の指示に従って、画像処理部１７により画像処理された画像データに基づいて、Ｙ、Ｍ、Ｃ及びＫの複数の色からなるトナー像を用紙上に形成する。画像形成部２０は、Ｙ、Ｍ、Ｃ及びＫの各色に対応する書込みユニット、中間転写ベルト、２次転写ローラー等を備えている。
【００３０】
各書込みユニットは、帯電部、感光体、光走査装置、現像部及び１次転写ローラーを備える。画像形成時、各書込みユニットでは、帯電部により感光体を帯電させた後、光走査装置により画像データに基づいて感光体上を走査して静電潜像を形成する。現像部によりトナーを供給して、感光体の静電潜像を現像すると、感光体上にトナー像が形成される。各書込みユニットにおいて感光体上にトナー像を形成すると、それぞれの１次転写ローラーにより、感光体上のトナー像を中間転写ベルト上に順次重ねて転写（１次転写）する。これにより、中間転写ベルト上には複数の色からなるトナー像が形成される。画像形成部２０では、給紙部１８により供給された用紙に対して、２次転写ローラーにより中間転写ベルト上のトナー像を転写（２次転写）する。
【００３１】
定着装置３０は、制御部１１の指示に従って、画像形成部２０によりトナー像が形成された用紙を加熱及び加圧して、画像を定着させる。定着装置３０は、加熱ローラー及び加圧ローラーを備える。加熱ローラーは、ハロゲンヒーターや、ＩＨ（Induction Heating：誘導加熱）用のコイル等の加熱手段を有し、加圧ローラーとのニップ部を通紙される用紙を加熱することにより、用紙にトナー像を定着させる。加圧ローラーは、加熱ローラーに圧接し、圧接により用紙が通紙されるニップ部を形成する。
【００３２】
捕集ユニット４０は、定着装置３０の近傍から画像形成装置１０の外部に排出される空気中のＵＦＰ（超微粒子）等の微粒子を捕集する。
定着装置３０の近傍とは、定着装置３０において発生する微粒子が拡散する範囲であって、例えば、定着装置３０から所定の距離以内の範囲である。捕集ユニット４０に接続される定着装置３０側のダクトの捕集ユニット４０と反対側の吸い込み口が、定着装置３０の近傍に配置されていればよい。
ＵＦＰとは、画像形成装置１０内に存在する粒子径１００ｎｍ未満の粒子をいう。ＵＦＰは、主に定着装置３０内の加熱された状態のローラー部材等から発生するが、加熱されてトナー像が定着された用紙の画像が形成された面からも発生する。
【００３３】
図２（ａ）は、画像形成装置１０の背面を示す斜視図である。画像形成装置１０の背面は、画像形成装置１０のユーザーが通常対向する面（正面）と反対側の面である。画像形成装置１０の正面には、操作部１３、表示部１４、トナーボトル等を交換する際に開かれる前扉、給紙トレイの引き出し面等が設けられている。画像形成装置１０の本体部１０Ａの背面側には、捕集ユニット４０が設けられている。
【００３４】
図２（ｂ）は、図２（ａ）に示すＡ−Ａにおける断面図である。
定着排気ファン３１は、定着装置３０の近傍から捕集ユニット４０に接続されるダクト内の空気の流れを発生させる。定着装置３０の近傍の空気は、定着排気ファン３１を通って捕集ユニット４０側に排出される。
【００３５】
捕集ユニット４０は、ダクト４１と、捕集ユニット排気ファン４２と、フィルター４３と、を備える。
捕集ユニット４０のダクト４１は、空気の流れ方向において定着排気ファン３１の下流側に接続されており、定着排気ファン３１から排出される空気を画像形成装置１０の外部に導く。
捕集ユニット排気ファン４２は、ダクト４１から画像形成装置１０の外部に排出される空気の流れを発生させる。捕集ユニット排気ファン４２は、定着装置３０の近傍から導かれたダクト４１内の空気を画像形成装置１０の外部に排出させる。
フィルター４３は、ダクト４１を通過する空気中のＵＦＰ等の微粒子を捕集する。
【００３６】
画像形成装置１０の本体部１０Ａの背面には、画像形成装置１０の内部から画像形成装置１０の外部に排気するための排気用ルーバー部５０が、捕集ユニット４０と所定の隙間Ｄを有して配置されている。排気用ルーバー部５０は、本体部１０Ａの背面に対して所定の角度で形成された複数の羽板により構成される。排気用ルーバー部５０からは、所定の排気ファンにより生じた空気の流れによって、排気風が吹き出される。排気用ルーバー部５０から排気される排気風は、ダクト４１のフィルター４３の上流部に当たるようになっている。すなわち、排気用ルーバー部５０から排気される排気風により、捕集ユニット４０が冷却される。捕集ユニット４０を冷却するために用いる排気用ルーバー部５０として、捕集ユニット４０の内部温度より温度が低い排気風を排気する排気用ルーバー部５０を用いる。
【００３７】
本実施形態では、画像形成装置１０の外部に排気するための排気用ルーバー部５０が、「捕集ユニット４０を捕集ユニット４０の外部から冷却する冷却手段」に相当する。捕集ユニット４０を外部から冷却するという側面では、捕集ユニット４０と排気用ルーバー部５０とにより、微粒子除去装置が構成される。
【００３８】
次に、図３（ａ）及び（ｂ）を参照して、排気用ルーバー部５０を詳細に説明する。
図３（ａ）に、捕集ユニット４０が装着されていない状態の画像形成装置１０の本体部１０Ａの背面を示す。本体部１０Ａの背面には、電源冷却用ルーバー部５１、基板冷却用ルーバー部５２、オゾン・トナー吸引用ルーバー部５３が設けられている。
【００３９】
電源冷却用ルーバー部５１は、画像形成装置１０の電源部を冷却することを目的として電源冷却用排気ファンにより発生させた空気の流れを外部に排気するために設けられている。
基板冷却用ルーバー部５２は、画像形成装置１０の基板を冷却することを目的として基板冷却用排気ファンにより発生させた空気の流れを外部に排気するために設けられている。
オゾン・トナー吸引用ルーバー部５３は、Ｙ、Ｍ、Ｃ及びＫの各色に対応する各書込みユニットが備える帯電部から発生するオゾン、及び、現像部や感光体から飛散するトナーを吸引することを目的としてオゾン・トナー吸引用排気ファンにより発生させた空気の流れを外部に排気するために設けられている。
【００４０】
図３（ｂ）に、捕集ユニット４０が装着された状態の画像形成装置１０の背面を示す。捕集ユニット４０は、電源冷却用ルーバー部５１からの排気風が直接当たる位置に設けられている。本実施形態では、電源冷却用ルーバー部５１が、図２（ｂ）における排気用ルーバー部５０の役割を担っている。電源冷却用ルーバー部５１から排気される排気風は、捕集ユニット４０の内部温度より温度が低い。
【００４１】
図４に、画像形成装置１０においてウォーミングアップ時、プリント中、プリント後の定着排気ファン３１、捕集ユニット排気ファン４２、機内排気ファン（電源冷却用排気ファン、基板冷却用排気ファン、オゾン・トナー吸引用排気ファン）のオン／オフ状態を示す。
制御部１１は、プリント中は、定着排気ファン３１及び捕集ユニット排気ファン４２をオン状態とし、ウォーミングアップ時及びプリント後は、定着排気ファン３１及び捕集ユニット排気ファン４２をオフ状態とする。
【００４２】
制御部１１は、ウォーミングアップ時に、機内排気ファンの全て又は一部をオン状態とする。これは、捕集ユニット４０を事前（プリント前）に冷却しておくためである。すなわち、ウォーミングアップ時にオン状態とする機内排気ファンには、電源冷却用排気ファン（捕集ユニット４０を冷却することにも用いられるファン）が含まれる。
制御部１１は、プリント中、機内排気ファンの全て又は一部をオン状態とする。これは、定着装置３０からのエミッション成分（ＵＦＰ等）を排気させないためである。すなわち、プリント中にオン状態とする機内排気ファンには、電源冷却用排気ファン（捕集ユニット４０を冷却することにも用いられるファン）が含まれる。
制御部１１は、プリント後、機内排気ファンの全てをオン状態とする。
【００４３】
制御部１１は、電源がオフされた場合、捕集ユニット４０を冷却するために、電源冷却用排気ファンのオン状態を一定時間継続する。
【００４４】
図５は、捕集ユニット４０の背面を示す拡大図である。捕集ユニット４０の背面側表面は、放熱用の板金４４で構成されている。本実施形態では、捕集ユニット４０の少なくとも一部を放熱部材で構成することが、「捕集ユニット４０から放熱することで、捕集ユニット４０を冷却する冷却手段」に相当する。放熱により捕集ユニット４０を冷却するという側面では、捕集ユニット４０自体が冷却手段を備えており、捕集ユニット４０自体が微粒子除去装置を構成する。
【００４５】
板金４４の外側には、複数の貫通孔４６を有するカバー部材４５が設けられている。カバー部材４５は、板金４４より熱伝導率が低い素材、例えば、樹脂等により構成されている。貫通孔４６の大きさ、数は特に限定しないが、ユーザーが貫通孔４６を介して板金４４に直接触れるおそれのない大きさとすることが望ましい。また、貫通孔４６の形状についても、円、楕円、多角形等、特に限定するものではない。カバー部材４５は、貫通孔４６の形状や配置に応じて、格子状やハニカム状に形成されていてもよく、特に限定しない。ただし、カバー部材４５の強度という点では、図５に示すように、貫通孔４６がＸ方向及びＹ方向の辺を有する長方形（角が丸いものも含む。）で構成されている場合に、カバー部材４５の貫通孔４６同士で挟まれる部分が、Ｘ方向又はＹ方向において連続しないように（カバー部材４５が格子状にならないように）、貫通孔４６を配置することが望ましい。図５に示す例では、貫通孔４６がＸ方向に並んで配置されることで、Ｘ方向には、カバー部材４５の貫通孔４６同士で挟まれる部分（Ｙ方向において隣り合う貫通孔４６同士の境界）が連続しているが、Ｙ方向には、カバー部材４５の貫通孔４６同士で挟まれる部分（Ｘ方向において隣り合う貫通孔４６同士の境界）が連続していない。
【００４６】
以上説明したように、本実施形態によれば、捕集ユニット４０を冷却することで、捕集ユニット４０の温度を下げることができるため、画像形成装置１０の生産性を低下させることなく、ユーザーが触れる可能性がある捕集ユニット４０の安全性を向上させることができる。
【００４７】
具体的には、捕集ユニット４０を捕集ユニット４０の外部から冷却することができる。この際、排気用ルーバー部５０から排気される排気風を利用することで、捕集ユニット４０専用の冷却装置を新たに設ける必要がなく、省エネルギー化を図ることができる。また、捕集ユニット４０の内部温度より温度が低い排気風を用いることで、冷却効果を期待できる。
【００４８】
また、捕集ユニット４０を放熱部材で構成することで、捕集ユニット４０を冷却することができる。また、放熱用の板金４４の外側にカバー部材４５を設けることで、ユーザーが板金４４に直接触れることを防ぐことができる。また、カバー部材４５の貫通孔４６同士で挟まれる部分が所定の方向において連続しないように貫通孔４６を配置することで、カバー部材４５の強度を確保することができる。
【００４９】
［変形例１］
次に、変形例１について説明する。
上記実施形態では、機内排気ファンのうち、電源冷却用排気ファンにより発生する排気風を捕集ユニット４０の冷却に用いたが、変形例１では、電源冷却用排気ファンに加え、基板冷却用排気ファン、オゾン・トナー吸引用排気ファンにより発生する排気風を捕集ユニット４０の冷却に用いる。
以下、変形例１に特徴的な構成のみを説明し、上記実施形態と同様の構成については説明を省略する。
【００５０】
図６に、捕集ユニット４０が装着された状態の画像形成装置１０の背面を示す。捕集ユニット４０は、電源冷却用ルーバー部５１からの排気風が直接当たる位置に設けられている。また、基板冷却用ルーバー部５２からの排気風を導くダクト５４、及び、オゾン・トナー吸引用ルーバー部５３からの排気風を導くダクト５５は、各ダクト５４，５５の排気口が捕集ユニット４０に向かうように設けられている。すなわち、基板冷却用ルーバー部５２、オゾン・トナー吸引用ルーバー部５３からの排気風は、ダクト５４，５５を介して捕集ユニット４０に当たるようになっている。変形例１では、電源冷却用ルーバー部５１、基板冷却用ルーバー部５２及びオゾン・トナー吸引用ルーバー部５３が、図２（ｂ）における排気用ルーバー部５０の役割を担っている。
【００５１】
変形例１によれば、上記実施形態と同様の効果に加え、電源冷却用排気風、基板冷却用排気風、オゾン・トナー吸引用排気風の全てを利用することで、効率良く捕集ユニット４０を冷却することができる。
【００５２】
なお、変形例１では、捕集ユニット４０を冷却するための排気風として、電源冷却用排気風、基板冷却用排気風及びオゾン・トナー吸引用排気風の全てを用いたが、電源冷却用排気風、基板冷却用排気風又はオゾン・トナー吸引用排気風のいずれか一つを用いることとしてもよい。また、オゾン・トナー吸引用排気風がオゾン吸引用排気風とトナー吸引用排気風とに分かれている場合には、いずれか一方を用いることとしてもよい。あるいは、複数種類の排気風のうち、二つ以上を用いることとしてもよい。
【００５３】
［変形例２］
次に、変形例２について説明する。
変形例２では、各機内排気ファン（電源冷却用排気ファン、基板冷却用排気ファン、オゾン・トナー吸引用排気ファン）により発生する排気風の温度に基づいて、捕集ユニット４０を冷却するための排気風を選択する。
以下、変形例２に特徴的な構成のみを説明し、上記実施形態又は変形例１と同様の構成については説明を省略する。
【００５４】
変形例２では、変形例１と同様、図６に示すように、捕集ユニット４０は、電源冷却用ルーバー部５１からの排気風が当たる位置に設けられており、基板冷却用ルーバー部５２、オゾン・トナー吸引用ルーバー部５３からの排気風は、ダクト５４，５５を介して捕集ユニット４０に当たるようになっている。
【００５５】
図７は、電源冷却用ルーバー部５１、基板冷却用ルーバー部５２、オゾン・トナー吸引用ルーバー部５３周辺を模式的に示した図である。
電源冷却用ルーバー部５１と画像形成装置１０の電源部との間には、ダクト６１が設けられている。ダクト６１には、電源部を冷却するための空気の流れを発生させる電源冷却用排気ファン７１が設けられている。また、ダクト６１には、電源冷却用排気ファン７１により発生する排気風（電源冷却用排気風）の温度を検出する温度センサー８１（温度検出手段）が設けられている。
また、電源冷却用ルーバー部５１からの排気風が捕集ユニット４０に当たることを妨げる位置にシャッター９１が設けられており、シャッター９１は開閉可能となっている。なお、シャッター９１が閉じられた場合には、排気風が捕集ユニット４０に当たらずに外部に排気される排気経路が予め用意されている。
【００５６】
基板冷却用ルーバー部５２と画像形成装置１０の基板との間には、ダクト６２が設けられている。ダクト６２には、基板を冷却するための空気の流れを発生させる基板冷却用排気ファン７２が設けられている。また、ダクト６２には、基板冷却用排気ファン７２により発生する排気風（基板冷却用排気風）の温度を検出する温度センサー８２（温度検出手段）が設けられている。
また、基板冷却用ルーバー部５２からの排気風は、ダクト５４を介して捕集ユニット４０に導かれる。基板冷却用ルーバー部５２からの排気風が捕集ユニット４０に当たることを妨げる位置にシャッター９２が設けられており、シャッター９２は開閉可能となっている。なお、シャッター９２が閉じられた場合には、排気風が捕集ユニット４０に当たらずに外部に排気される排気経路が予め用意されている。
【００５７】
オゾン・トナー吸引用ルーバー部５３と画像形成装置１０の帯電部・現像部・感光体との間には、ダクト６３が設けられている。ダクト６３には、帯電部から発生するオゾン、及び、現像部や感光体から飛散するトナーを吸引するための空気の流れを発生させるオゾン・トナー吸引用排気ファン７３が設けられている。また、ダクト６３には、オゾン・トナー吸引用排気ファン７３により発生する排気風（オゾン・トナー吸引用排気風）の温度を検出する温度センサー８３（温度検出手段）が設けられている。
また、オゾン・トナー吸引用ルーバー部５３からの排気風は、ダクト５５を介して捕集ユニット４０に導かれる。オゾン・トナー吸引用ルーバー部５３からの排気風が捕集ユニット４０に当たることを妨げる位置にシャッター９３が設けられており、シャッター９３は開閉可能となっている。なお、シャッター９３が閉じられた場合には、排気風が捕集ユニット４０に当たらずに外部に排気される排気経路が予め用意されている。
【００５８】
制御部１１は、各温度センサー８１〜８３の検出結果を取得し、各温度センサー８１〜８３により温度が検出された電源冷却用排気風、基板冷却用排気風、オゾン・トナー吸引用排気風のうち、最も温度が低い排気風に対応する排気用ルーバー部５０（電源冷却用ルーバー部５１、基板冷却用ルーバー部５２又はオゾン・トナー吸引用ルーバー部５３）を、捕集ユニット４０を冷却する冷却手段として選択する。具体的には、制御部１１は、最も温度が低い排気風に対応する排気用ルーバー部５０を選択し、選択された排気用ルーバー部５０に対応するシャッター９１〜９３を開放し、それ以外のシャッター９１〜９３を閉じるよう制御する。選択された排気用ルーバー部５０から排気される排気風によって、捕集ユニット４０が冷却される。
【００５９】
変形例２によれば、上記実施形態と同様の効果に加え、電源冷却用排気風、基板冷却用排気風、オゾン・トナー吸引用排気風のうち、最も温度が低い排気風を用いることで、効率良く捕集ユニット４０を冷却することができる。
【００６０】
なお、上記実施形態及び変形例における記述は、本発明に係る微粒子除去装置及び画像形成装置の例であり、これに限定されるものではない。装置を構成する各部の細部構成及び細部動作に関しても本発明の趣旨を逸脱することのない範囲で適宜変更可能である。
【００６１】
例えば、上記実施形態及び変形例では、オゾン・トナー吸引用ルーバー部５３がオゾン及びトナーを吸引し排気するために設けられている場合について説明したが、オゾンを吸引し排気するためのオゾン吸引用ルーバー部と、トナーを吸引し排気するためのトナー吸引用ルーバー部が別々に設けられていることとしてもよい。
この場合、変形例２では、電源冷却用排気風、基板冷却用排気風、オゾン吸引用排気風、トナー吸引用排気風のそれぞれの温度を検出し、電源冷却用排気風、基板冷却用排気風、オゾン吸引用排気風、トナー吸引用排気風のうち、最も温度が低い排気風に対応する排気用ルーバー部５０（電源冷却用ルーバー部５１、基板冷却用ルーバー部５２、オゾン吸引用ルーバー部又はトナー吸引用ルーバー部）を、捕集ユニット４０を冷却する冷却手段として選択すればよい。
【符号の説明】
【００６２】
１０  画像形成装置
１０Ａ  本体部
１１  制御部
２０  画像形成部
３０  定着装置
３１  定着排気ファン
４０  捕集ユニット
４１  ダクト
４２  捕集ユニット排気ファン
４３  フィルター
４４  板金
４５  カバー部材
４６  貫通孔
５０  排気用ルーバー部
５１  電源冷却用ルーバー部
５２  基板冷却用ルーバー部
５３  オゾン・トナー吸引用ルーバー部
８１  温度センサー
８２  温度センサー
８３  温度センサー
Ｄ  隙間
【図１】
2020112641.tif 000003
【図２】
2020112641.tif 000004
【図３】
2020112641.tif 000005
【図４】
2020112641.tif 000006
【図５】
2020112641.tif 000007
【図６】
2020112641.tif 000008
【図７】
2020112641.tif 000009